【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
被検眼の眼底に対して測定光を走査する走査手段と、
第１撮影モードおよび前記第１撮影モードとは異なる第２撮影モードのうち１の撮影モードを選択する選択手段と、
前記眼底の複数の正面画像に基づいて前記被検眼の移動量を示す情報を取得する取得手段と、
前記第１撮影モードが選択された場合には前記移動量を示す情報が取得された後に実行される最初の走査において前記測定光の走査位置を補正し、前記第２撮影モードが選択された場合には前記移動量を示す情報が取得された後に実行される最初の走査群に含まれる最初の走査において前記測定光の走査位置を補正する補正手段と、
を備える、眼科装置。
【請求項２】
前記移動量を示す情報を記憶する記憶手段と、
前記取得手段により前記情報が取得される度に前記記憶手段に記憶された前記情報を更新する記憶制御手段と、
を更に備え、
前記補正手段は、前記第２撮影モードが選択された場合には、前記最初の走査群の前の走査群における最後の走査が終了した段階で前記記憶手段に記憶されている前記情報に基づいて前記測定光の走査位置を補正することにより、前記最初の走査群に含まれる最初の走査において前記測定光の走査位置を補正する、請求項１に記載の眼科装置。
【請求項３】
被検眼の眼底に対して測定光を走査する走査手段と、
第１撮影モードおよび前記第１撮影モードとは異なる第２撮影モードのうち１の撮影モードを選択する選択手段と、
前記眼底の複数の正面画像に基づいて前記被検眼の移動量を示す情報を取得する取得手段と、
前記移動量を示す情報に基づいて前記測定光の走査位置を補正する補正手段であって、前記第１撮影モードが選択された場合には各走査間で前記測定光の走査位置を補正し、前記第２撮影モードが選択された場合には各走査間で前記測定光の走査位置を補正することなく複数回の走査を含む走査群間で前記測定光の走査位置を補正する補正手段と、
を備える、眼科装置。
【請求項４】
前記測定光の前記眼底からの戻り光と参照光とに基づいて前記眼底の断層画像を生成する第１生成手段と、
前記断層画像とは異なる前記眼底の正面画像を生成する第２生成手段と、
前記情報を記憶する記憶手段と、
前記取得手段により前記情報が取得される度に前記記憶手段に記憶された前記情報を更新する記憶制御手段と、
を更に備え、
前記取得手段は、前記第２生成手段によって生成された前記眼底の複数の正面画像に基づいて前記被検眼の移動量を示す情報を取得し、
前記補正手段は、前記第２撮影モードが選択された場合には、前記走査群における最後の走査が終了した段階で前記記憶手段に記憶されている前記情報に基づいて前記測定光の走査位置を補正することにより、前記走査群間で前記測定光の走査位置を補正する、請求項３に記載の眼科装置。
【請求項５】
前記第２撮影モードでは、前記走査手段によって、走査群に含まれる複数回の走査が行われ、
前記補正手段は、前記第２撮影モードが選択された場合には、前記移動量を示す情報が取得された後に新たに実行される最初の走査群に含まれる最初の走査において前記測定光の走査位置を補正し、
前記補正手段は、前記第２撮影モードが選択された場合には、前記最初の走査群における最初の走査以外の走査における前記測定光の走査位置は補正しない、請求項１乃至４のいずれか１項に記載の眼科装置。
【請求項６】
前記第２撮影モードはＯＣＴＡ画像を撮影するモードであり、前記第１撮影モードはＯＣＴＡ画像以外の画像を撮影するモードである、請求項１乃至５のいずれか１項に記載の眼科装置。
【請求項７】
前記第１撮影モードは、前記被検眼の眼底に対して前記測定光を複数の個別の走査で走査することを含み、
前記第２撮影モードは、各走査群が前記測定光の複数の走査を含む、複数の走査群を用いて前記被検眼の眼底を走査することを含み、
前記補正手段は、前記移動量に基づいて前記測定光の走査位置を補正し、
前記補正手段は、前記第１撮影モードが選択された場合には、走査間のタイミングで前前記測定光の走査位置を補正し、前記第２撮影モードが選択された場合には、各走査群における走査間のタイミングでは前記測定光の走査位置を補正せずに、走査群の最後の走査と前記複数の走査群の次の走査群の最初の走査との間のタイミングで前記測定光の走査位置を補正する、請求項６に記載の眼科装置。
【請求項８】
前記第２撮影モードにおいて、走査群に含まれる複数回の走査によって得られた前記測定光の前記眼底からの戻り光と参照光との複数の干渉信号に基づいて、前記ＯＣＴＡ画像が生成される、請求項６又は７に記載の眼科装置。
【請求項９】
前記第２撮影モードにおいて、走査群に含まれる複数回の走査によって得られた前記測定光の前記眼底からの戻り光と参照光との複数の干渉信号を加算平均することで、前記眼底の断層画像が生成される、請求項１乃至５のいずれか１項に記載の眼科装置。
【請求項１０】
前記第２撮影モードにおいて、前記測定光の走査範囲、走査群における走査回数および前記測定光の走査解像度の少なくとも１つを変更する変更手段を更に備える、請求項１乃至９のいずれか１項に記載の眼科装置。
【請求項１１】
走査群に含まれる複数回の走査の走査間隔は、第１走査群の最後の走査と第１走査群に時間的に連続する第２走査群の最初の走査との走査間隔よりも短い、請求項１乃至１０のいずれか１項に記載の眼科装置。
【請求項１２】
前記補正手段は、前記移動量が閾値以上である場合に、前記被検眼の移動量を示す情報が取得された際に前記測定光を走査していた走査位置で前記測定光を再走査させる、請求項１乃至１１のいずれか一項に記載の眼科装置。
【請求項１３】
前記補正手段は、前記第１撮影モードが選択された場合には、前記移動量が前記閾値以上である間に行った走査に対応する走査位置で再走査を行い、前記第２撮影モードが選択された場合には、前記移動量が前記閾値以上である間に行った走査を含む走査群に対応する走査位置で再走査を行う、請求項１２に記載の眼科装置。
【請求項１４】
前記補正手段は、再走査を行うべき走査の回数が所定値を超える場合には、前記再走査を行わない、請求項１２又は１３に記載の眼科装置。
【請求項１５】
被検眼の眼底に対して測定光を走査するステップと、
第１撮影モードおよび前記第１撮影モードとは異なる第２撮影モードのうち１の撮影モードを選択するステップと、
前記眼底の複数の正面画像に基づいて前記被検眼の移動量を示す情報を取得するステップと、
前記第１撮影モードが選択された場合に、前記移動量を示す情報が取得された後に実行される最初の走査において前記測定光の走査位置を補正するステップと、
前記第２撮影モードが選択された場合に、前記移動量を示す情報が取得された後に実行される最初の走査群に含まれる最初の走査において前記測定光の走査位置を補正するステップと、
を含む、前記被検眼の眼底を撮影する撮像方法。
【請求項１６】
被検眼の眼底に対して測定光を走査する走査ステップと、
第１撮影モードおよび前記第１撮影モードとは異なる第２撮影モードのうち１の撮影モードを選択する選択ステップと、
前記眼底の複数の正面画像に基づいて前記被検眼の移動量を示す情報を取得する取得ステップと、
前記移動量を示す情報に基づいて前記測定光の走査位置を補正する補正ステップであって、前記第１撮影モードが選択された場合には各走査間で前記測定光の走査位置を補正し、前記第２撮影モードが選択された場合には各走査間で前記測定光の走査位置を補正することなく複数回の走査を含む走査群間で前記測定光の走査位置を補正する補正ステップと、
を含む、前記被検眼の眼底を撮影する撮像方法。
【請求項１７】
プロセッサーによって実行されると、該プロセッサーに請求項１５又は１６に記載の撮像方法の各工程を実行させる、プログラム。
【手続補正２】
【補正対象書類名】明細書
【補正対象項目名】発明の名称
【補正方法】変更
【補正の内容】
【発明の名称】眼科装置、撮像方法及びプログラム
【手続補正３】
【補正対象書類名】明細書
【補正対象項目名】０００１
【補正方法】変更
【補正の内容】
【０００１】
本発明は、眼科装置、撮像方法およびプログラムに関する。
【手続補正４】
【補正対象書類名】明細書
【補正対象項目名】００１０
【補正方法】変更
【補正の内容】
【００１０】
上記問題に鑑み、本発明は、撮影モード毎に、トラッキング動作における走査位置の補正を適切なタイミングで行う、眼科装置、撮像方法およびプログラムを提供する。
【手続補正５】
【補正対象書類名】明細書
【補正対象項目名】００１１
【補正方法】変更
【補正の内容】
【００１１】
本発明の一実施態様によれば、被検眼の眼底に対して測定光を走査する走査手段と、第１撮影モードおよび前記第１撮影モードとは異なる第２撮影モードのうち１の撮影モードを選択する選択手段と、前記眼底の複数の正面画像に基づいて前記被検眼の移動量を示す情報を取得する取得手段と、前記移動量を示す情報に基づいて前記測定光の走査位置を補正する補正手段であって、前記第１撮影モードが選択された場合には各走査間で前記測定光の走査位置を補正し、前記第２撮影モードが選択された場合には各走査間で前記測定光の走査位置を補正することなく複数回の走査を含む走査群間で前記測定光の走査位置を補正する補正手段とを備える、眼科装置が提供される。
【手続補正６】
【補正対象書類名】明細書
【補正対象項目名】００１２
【補正方法】変更
【補正の内容】
【００１２】
本発明の別の実施態様によれば、被検眼の眼底に対して測定光を走査する走査ステップと、第１撮影モードおよび前記第１撮影モードとは異なる第２撮影モードのうち１の撮影モードを選択する選択ステップと、前記眼底の複数の正面画像に基づいて前記被検眼の移動量を示す情報を取得する取得ステップと、前記移動量を示す情報に基づいて前記測定光の走査位置を補正する補正ステップであって、前記第１撮影モードが選択された場合には各走査間で前記測定光の走査位置を補正し、前記第２撮影モードが選択された場合には各走査間で前記測定光の走査位置を補正することなく複数回の走査を含む走査群間で前記測定光の走査位置を補正する補正ステップとを含む、前記被検眼の眼底を撮影する撮像方法が提供される。
【手続補正７】
【補正対象書類名】明細書
【補正対象項目名】００１３
【補正方法】変更
【補正の内容】
【００１３】
本発明によれば、撮影モード毎に、トラッキング動作における走査位置の補正を適切なタイミングで行う、眼科装置、撮像方法およびプログラムを提供することができる。